(57)【要約】【課題】柔軟剤等の香りをドラム内の衣類に付着させるドラム式洗濯機を提供すること。【解決手段】操作パネル２２の入力設定手段にて選択された香り付け専用コースにおいて、給水弁９を動作させて、液体柔軟剤を含む液体を水槽２内の回転ドラム３の最下部Ａ部より低い所定水位まで注水した後、ドラムモータ７を駆動させて回転ドラム３を回転させると共に、ヒートポンプユニット２７および循環ファン２６を動作させて、通常の衣類乾燥工程よりも低い所定温度および低い所定風量にて乾燥用空気を回転ドラム３内に供給する構成とすることにより、柔軟剤等の香りを回転ドラム３内に充満させ、衣類に香りを効果的に付着させることができる。【選択図】図１
2017055946.tif 000002
【特許請求の範囲】
【請求項１】
洗濯機本体と、衣類を収容する回転ドラムと、前記洗濯機本体内に揺動自在に防振支持され、前記回転ドラムを回転自在に内包する水槽と、前記回転ドラムを回転駆動するドラムモータと、前記回転ドラム内に供給する乾燥用空気を生成するヒートポンプユニットと、前記水槽と前記ヒートポンプユニットを連結して前記水槽と前記ヒートポンプユニットとの間で乾燥用空気を循環させる循環送風経路と、前記循環送風経路に送風する循環ファンと、前記水槽に給水する給水弁と、前記洗濯機本体前部に設けられ入力設定手段と表示手段を有する操作パネルと、洗剤を収容する洗剤収容容器と、前記洗剤収容容器に設けられた液体柔軟剤を収容する液体柔軟剤収容部と、前記給水弁からの給水を前記洗剤収容容器に注水する注水蓋体と、前記注水蓋体からの注水により、前記液体柔軟剤収容部内の液体柔軟剤を含む液体を、給水経路を介して前記水槽内に供給する洗剤液供給路と、前記ドラムモータ、ヒートポンプユニット、循環ファン、給水弁などを制御し、洗い、すすぎ、脱水、乾燥などの各工程を制御する制御手段とを備え、前記制御手段は、前記入力設定手段にて選択された香り付け専用コースにおいて、前記給水弁を動作させて、液体柔軟剤を含む液体を前記水槽内に所定水位まで注水した後、前記ドラムモータを駆動させて前記回転ドラムを回転させると共に、前記ヒートポンプユニットおよび前記循環ファンを動作させて、乾燥用空気を前記回転ドラム内に供給するドラム式洗濯機。
【請求項２】
制御手段は、香り付け専用コースにおいて、液体柔軟剤を含む液体を回転ドラムの最下部より低い水位まで注水する請求項１に記載のドラム式洗濯機。
【請求項３】
制御手段は、香り付け専用コースにおいて、通常の衣類乾燥工程よりも低い所定温度および低い所定風量にて乾燥用空気を回転ドラム内に供給する請求項１または２に記載のドラム式洗濯機。
【発明の詳細な説明】
【技術分野】
【０００１】
本発明は、回転ドラム内で洗濯物を洗い、すすぎ、脱水、乾燥するドラム式洗濯機に関するものである。
【背景技術】
【０００２】
従来、この種のドラム式洗濯機は、洗剤を投入する洗剤ケースを備え、運転開始に先立ち、洗剤ケース内に洗剤や，柔軟剤等を予め投入する構成がとられてきた（例えば、特許文献１参照）。
【０００３】
図７は、特許文献１に記載された従来のドラム式洗濯機の縦断面図、図８は、同ドラム式洗濯機の洗剤投入部（洗剤収容容器）の斜視図である。
【０００４】
図７、図８において、回転ドラム４１は、有底円筒形に形成され、外周部に多数の通水孔４２が全面に設けられている。筺体４３内には、水槽４４が揺動自在に支持され、水槽４４内に、回転ドラム４１が回転自在に配設されている。
【０００５】
水槽４４の正面側には、筺体４３の上向き傾斜面に円形状の開口部を設けており、開口部は、円形状の扉体５２により開閉自在に覆い、扉体５２を開くことにより、衣類出入口５３を通して回転ドラム４１内に洗濯物を出し入れできるようにしている。
【０００６】
筺体４３の前面上部には、操作パネル５９が設けられ、操作パネル５９の左下部で、操作パネル５９と扉体５２との間に、前後が長手方向の洗剤投入部６０が配設されている。洗剤投入部６０は、洗剤を収容する洗剤収容容器６４と、給水弁５８に接続されて、洗剤収容容器６４に給水する給水路６５に配管された注水蓋体６６と、洗剤収容容器６４が収納された洗剤投入部枠体６７などにより構成されている。
【０００７】
洗剤投入部枠体６７は、上方に開口を有する有底の断面略コ字状箱体であり、注水蓋体６６の下方に配設されており、注水蓋体６６との間に形成された空間部６８に洗剤収容容器６４が収納され、洗剤収容容器６４は、筺体４３の前方より、引き出し自在となっている。
【０００８】
また、注水蓋体６６には、洗剤収容容器６４に給水する水の通水路となる通水空間部（図示せず）と、通水空間部の底面に多数の小孔を形成した注水口（図示せず）とが形成されており、注水口を介して洗剤収容容器６４に給水された水が、洗剤収容容器６４に収容された洗剤等（粉末合成洗剤、液体洗剤、液体柔軟剤など）と混合され、洗剤投入部枠体６７の底部に形成された洗剤液供給路７０から水槽給水経路６９を経由して、水槽４４内に供給される。
【０００９】
洗剤収容容器６４は、収容容器本体７１、取っ手枠体７２、取っ手カバー７３および収容部蓋体７４から構成されている。
【００１０】
収容容器本体７１には、長手方向の最後部側に粉末洗剤を投入する粉末洗剤収容部７５が、粉末洗剤収容部７５の前側に液体洗剤を投入する液体洗剤収容部７６が、そして最前部に液体柔軟剤を投入する液体柔軟剤収容部７７が形成されている。液体柔軟剤収容部７７の上方には、収容部蓋体７４が配設され、収容部蓋体７４により液体柔軟剤収容部７７の上方を覆っている。収容部蓋体７４には、液体柔軟剤を投入する液体柔軟剤受入口７８が形成されている。
【００１１】
液体柔軟剤収容部７７の底部には、筒状の液体柔軟剤投入口７９が上方に向けて立設されている。収容部蓋体７４には、液体柔軟剤投入口７９を外方より覆い、下端が液体柔軟剤収容部７７の底部に達する円筒形状の筒状突出部８０が下方に向けて立設されている。筒状突出部８０の下端部には、側面が略コ字状に切り欠かれた流水口（図示せず）が形成されている。液体柔軟剤収容部７７に投入された液体柔軟剤は、すすぎ行程時に、注水蓋体６６から供給された水とともに、サイフォン現象により、液体柔軟剤投入路（図示せず）を経由して洗剤投入部枠体６７の洗剤液供給路７０へ流れ、水槽給水経路６９を経由して水槽４４内に供給される。
【００１２】
液体洗剤収容部７６の角隅部には、液体洗剤流出口８１が形成されており、液体洗剤収容部７６の底面部は、液体洗剤流出口８１に向かって傾斜している。液体洗剤収容部７６に投入された液体洗剤は、洗い行程初期に、注水蓋体６６から供給された水とともに、液体洗剤流出口８１から液体洗剤投入路（図示せず）を経由して洗剤投入部枠体６７の洗剤液供給路７０へ流れ、水槽給水経路６９を経由して、水槽４４内に供給される。
【先行技術文献】
【特許文献】
【００１３】
【特許文献１】特開２０１２−７５６８５号公報
【発明の概要】
【発明が解決しようとする課題】
【００１４】
しかしながら、前記従来の構成では、近年需要が伸びている液状の香り付き柔軟剤や洗濯用衣類芳香剤を利用して衣類に香りを付着させる処理を行う場合、洗い工程、あるいはすすぎ工程において衣類を水に浸す必要がある。衣類を水に浸すことにより、液体柔軟剤や衣類芳香剤が水に完全に溶ける前に液体柔軟剤や衣類芳香剤が衣類に付着してシミとなる、或いは、衣類の残留洗剤分によって効果が減少するという課題があった。
【００１５】
本発明は、上記従来の課題を解決するもので、洗剤収容容器に投入した香り付き液体柔軟剤や洗濯用衣類芳香剤を水とともに給水する際に、衣類を水に濡らさないように給水して水槽内底部に流し込んで溜め、乾燥動作を行なうことで、柔軟剤等の香りをドラム内に充満させ、衣類に香りを効果的に付着させることができるドラム式洗濯機を提供することを目的としている。
【課題を解決するための手段】
【００１６】
上記課題を解決するために、本発明のドラム式洗濯機は、洗濯機本体と、衣類を収容する回転ドラムと、前記洗濯機本体内に揺動自在に防振支持され、前記回転ドラムを回転自在に内包する水槽と、前記回転ドラムを回転駆動するドラムモータと、前記回転ドラム内に供給する乾燥用空気を生成するヒートポンプユニットと、前記水槽と前記ヒートポンプユニットを連結して前記水槽と前記ヒートポンプユニットとの間で乾燥用空気を循環させる循環送風経路と、前記循環送風経路に送風する循環ファンと、前記水槽に給水する給水弁と、前記洗濯機本体前部に設けられ入力設定手段と表示手段を有する操作パネルと、洗剤を収容する洗剤収容容器と、前記洗剤収容容器に設けられた液体柔軟剤を収容する液体柔軟剤収容部と、前記給水弁からの給水を前記洗剤収容容器に注水する注水蓋体と、前記注水蓋体からの注水により、前記液体柔軟剤収容部内の液体柔軟剤を含む液体を、給水経路を介して前記水槽内に供給する洗剤液供給路と、前記ドラムモータ、ヒートポンプユニット、循環ファン、給水弁などを制御し、洗い、すすぎ、脱水、乾燥などの各工程を制御する制御手段とを備え、前記制御手段は、前記入力設定手段にて選択された香り付け専用コースにおいて、前記給水弁を動作させて、液体柔軟剤を含む液体を前記水槽内に所定水位まで注水した後、前記ドラムモータを駆動させて前記回転ドラムを回転させると共に、
前記ヒートポンプユニットおよび前記循環ファンを動作させて、乾燥用空気を前記回転ドラム内に供給する構成としたものである。
【００１７】
これにより、柔軟剤等の香りを回転ドラム内に充満させ、衣類に香りを効果的に付着させることができる。
【発明の効果】
【００１８】
本発明のドラム式洗濯機は、洗剤収容容器に投入した香り付き柔軟剤や洗濯用衣類芳香剤を、衣類を水に濡らさないように給水して水槽内底部に流し込んで溜め、乾燥動作することで、柔軟剤等の香りをドラム内に充満させ、衣類に香りを効果的に付着させることができる。
【図面の簡単な説明】
【００１９】
【図１】本発明の実施の形態におけるドラム式洗濯機の縦断面図
【図２】同ドラム式洗濯機の洗剤収容容器部分の斜視図
【図３】同ドラム式洗濯機の洗剤収容容器部分の側面断面図
【図４】同ドラム式洗濯機の循環送風経路を説明するための縦断面図
【図５】同ドラム式洗濯機の内部背面図
【図６】香り付け専用コースの動作を示すフローチャート
【図７】従来のドラム式洗濯機の縦断面図
【図８】同ドラム式洗濯機の洗剤収容容器部分の分解斜視図
【発明を実施するための形態】
【００２０】
第１の発明は、洗濯機本体と、衣類を収容する回転ドラムと、前記洗濯機本体内に揺動自在に防振支持され、前記回転ドラムを回転自在に内包する水槽と、前記回転ドラムを回転駆動するドラムモータと、前記回転ドラム内に供給する乾燥用空気を生成するヒートポンプユニットと、前記水槽と前記ヒートポンプユニットを連結して前記水槽と前記ヒートポンプユニットとの間で乾燥用空気を循環させる循環送風経路と、前記循環送風経路に送風する循環ファンと、前記水槽に給水する給水弁と、前記洗濯機本体前部に設けられ入力設定手段と表示手段を有する操作パネルと、洗剤を収容する洗剤収容容器と、前記洗剤収容容器に設けられた液体柔軟剤を収容する液体柔軟剤収容部と、前記給水弁からの給水を前記洗剤収容容器に注水する注水蓋体と、前記注水蓋体からの注水により、前記液体柔軟剤収容部内の液体柔軟剤を含む液体を、給水経路を介して前記水槽内に供給する洗剤液供給路と、前記ドラムモータ、ヒートポンプユニット、循環ファン、給水弁などを制御し、洗い、すすぎ、脱水、乾燥などの各工程を制御する制御手段とを備え、前記制御手段は、前記入力設定手段にて選択された香り付け専用コースにおいて、前記給水弁を動作させて、液体柔軟剤を含む液体を前記水槽内に所定水位まで注水した後、前記ドラムモータを駆動させて前記回転ドラムを回転させると共に、前記ヒートポンプユニットおよび前記循環ファンを動作させて、乾燥用空気を前記回転ドラム内に供給する構成としたものである。この構成により、柔軟剤等の香りを回転ドラム内に充満させ、衣類に香りを効果的に付着させることができる。
【００２１】
第２の発明は、特に、第１の発明の制御手段は、香り付け専用コースにおいて、液体柔軟剤を含む液体を回転ドラムの最下部より低い水位まで注水する構成とすることにより、衣類を液体に濡らさないように注水して、柔軟剤等の香りを回転ドラム内に充満させ、衣類に香りを効果的に付着させることができる。
【００２２】
第３の発明は、特に、第１または第２の発明の制御手段は、香り付け専用コースにおいて、通常の衣類乾燥工程よりも低い所定温度および低い所定風量にて乾燥用空気を回転ドラム内に供給する構成とすることにより、柔軟剤等の香りを回転ドラム内に充満させ、衣
類に香りを効果的に付着させることができる。
【００２３】
以下、本発明の実施の形態について、図面を参照しながら説明する。なお、この実施の形態によって本発明が限定されるものではない。
【００２４】
（実施の形態１）
図１は、本発明の実施の形態におけるドラム式洗濯機の縦断面図、図２は、同ドラム式洗濯機の洗剤収容容器部分の斜視図、図３は、同ドラム式洗濯機の洗剤収容容器部分の側面断面図、図４は、同ドラム式洗濯機の循環送風経路を説明するための縦断面図、図５は、同ドラム式洗濯機の内部背面図である。
【００２５】
図１、図２、図３、図４及び図５において、洗濯機本体１内に、図示しないサスペンション構造によって水槽２が揺動自在に防振支持されている。水槽２内には、有底円筒形に形成された回転ドラム３が、軸心方向を正面側から背面側に向けて下向きに傾斜させて支持されている。水槽２の正面側には、回転ドラム３の開口に通じる衣類出入口４が形成されている。洗濯機本体１の正面側の上向き傾斜面には、開口部が設けられ、開口部を開閉可能に閉じる扉５を開くことにより、衣類出入口４を通じて回転ドラム３内に対して洗濯物を出し入れすることができる。
【００２６】
回転ドラム３には、周面に水槽２内に通じる多数の透孔６が形成され、内周面の複数位置に攪拌突起（図示せず）が設けられている。回転ドラム３は、水槽２の背面側に取り付けられたドラムモータ７によって正転及び逆転方向に回転駆動される。
【００２７】
洗濯機本体１の上部には、洗剤投入部１３が配設されている。洗剤投入部１３は、洗剤を収容する洗剤収容容器８と、給水弁９に接続されて洗剤収容容器８に給水する給水路１０と、断面視略コ字状に形成され、上面に注水蓋体１１を固定するとともに、注水蓋体１１との間に形成された空間に洗剤収容容器８を引き出し自在に収容する洗剤投入部枠体１２とを備えている。
【００２８】
洗剤投入部枠体１２は、上面に注水蓋体１１が固定され、洗剤投入部枠体１２と注水蓋体１１とで囲まれた空間に洗剤収容容器８を引き出し自在に収納するとともに、底部に洗剤液供給路１４が形成されている。洗剤収容容器８に収容された洗剤に注水蓋体１１から供給された水が混合された各種の洗剤混合液は、洗剤液供給路１４および洗剤液供給路１４に接続された給水経路１５を経由して、水槽２に送給される。
【００２９】
洗剤収容容器８には、粉末合成洗剤を収容する粉末洗剤収容部１６と、液体洗剤や液体漂白剤を収容する液体洗剤収容部１７と、液体柔軟剤を収容する液体柔軟剤収容部１８とを備えて構成されている。
【００３０】
収容部蓋板１９が、液体洗剤収容部１７と液体柔軟剤収容部１８の上方を覆っており、収容部蓋体１９には、液体洗剤収容部１７と液体柔軟剤収容部１８に対向する位置にそれぞれ液体洗剤受入口１９ａと液体柔軟剤受入口１９ｂとを形成している。液体洗剤収容部１７と液体柔軟剤収容部１８の底部には、それぞれ管状の液体洗剤投入口１７ｂと液体柔軟剤投入口１８ｂが上方にむけて立設されているとともに、収容部蓋板１９には、それぞれ液体洗剤投入口１７ｂと液体柔軟剤投入口１８ｂを外方より覆い、下端が液体洗剤収容部１７と液体柔軟剤収容部１８の底面に達する円筒形状の一対の管状突出部１９ｃが下方に向けて立設されている。
【００３１】
洗剤投入部１３では、洗い工程において、注水蓋体１１の下面にある注水口２０ａから粉末洗剤収容部１６、および液体洗剤収容部１７に注水される。また、すすぎ工程におい
て、注水口２０ｂから液体柔軟剤収容部１８に注水される。そして、洗い工程において、粉末洗剤収容部１６で粉末合成洗剤を希釈拡散した洗剤液は、洗剤液供給路１４および給水経路１５を通じて水槽２内に送給されるとともに、同時に、液体洗剤収容部１７で液体洗剤を希釈拡散した洗剤液は、サイフォンの原理により洗剤液供給路１４および給水経路１５を経由して、水槽２に送給される。また、すすぎ工程において、液体柔軟剤収容部１８で液体柔軟剤を希釈拡散した柔軟液は、同様に、洗剤液供給路１４および給水経路１５を経由して、水槽２に送給される。
【００３２】
水槽２には、排水管路２１が配管接続され、排水弁（図示せず）の制御によって水槽２から機外への排水がなされる。
【００３３】
運転コース等のモードや各種機能の選択は、洗濯機本体１の前面上部に設けられた操作パネル２２から使用者が入力設定手段（図示せず）へ入力して行い、洗濯機本体１内に配設された制御手段（図示せず）を有する制御装置３１が、その入力情報を基に操作パネル２２上の表示手段（図示せず）で表示して使用者に知らせる。
【００３４】
制御手段は、ドラムモータ７、給水弁９、ヒートポンプユニット２７、循環ファン２６などの動作を制御し、洗い、すすぎ、脱水、乾燥の各工程を制御する。
【００３５】
扉５を開き、回転ドラム３内に洗濯物及び洗剤を投入して、洗濯機本体１の前面上部に設けられた操作パネル２２での操作により運転を開始させると、洗剤投入部１３では、洗い工程において、注水蓋体１１の下面にある注水口２０ａから粉末洗剤収容部１６、および液体洗剤収容部１７に注水される。
【００３６】
そして、粉末洗剤収容部１６で粉末合成洗剤を希釈拡散した洗剤液は、洗剤液供給路１４および給水経路１５を通じて水槽２内に送給される。同時に、液体洗剤収容部１７で液体洗剤を希釈拡散した洗剤液は、サイフォンの原理により洗剤液供給路１４および給水経路１５を経由して、水槽２に送給される。水槽２内に所定量の注水がなされると、ドラムモータ７により回転ドラム３が回転駆動されて洗い工程が開始される。
【００３７】
回転ドラム３の回転により、回転ドラム３内に収容された洗濯物は、回転ドラム３の内周壁に設けられた攪拌突起によって回転方向に持ち上げられ、持ち上げられた適当な高さ位置から落下する攪拌動作が繰り返されるので、洗濯物には叩き洗いの作用が及んで洗い動作がなされる。
【００３８】
所要の洗濯時間の後、汚れた洗濯液は排水管路２１から排出され、回転ドラム３を高速回転させる脱水動作により洗濯物に含まれた洗濯液を脱水し、その後、水槽２内に給水経路１５から注水してすすぎ工程が実施される。
【００３９】
すすぎ工程において、注水口２０ｂから液体柔軟剤収容部１８に注水される。そして、液体柔軟剤収容部１８で液体柔軟剤を希釈拡散した柔軟液は、サイフォンの原理により洗剤液供給路１４および給水経路１５を経由して、水槽２に送給され、所定量の注水がなされる。回転ドラム３内に収容された洗濯物は、回転ドラム３の回転により攪拌突起により持ち上げられて落下する攪拌動作が繰り返されてすすぎ洗いが実施される。
【００４０】
また、回転ドラム３内に収容した洗濯物を乾燥する機能が設けられ、循環送風経路２３により、水槽２内の空気を排気して除湿し、加熱して乾燥させた空気を再び水槽２内に送風する。循環送風経路２３の途中には、蒸発器２４などの除湿手段、凝縮器２５などの加熱手段からなるヒートポンプユニット２７、及び送風手段である循環ファン２６が設けられている。蒸発器２４と凝縮器２５などから成るヒートポンプユニット２７は、図５に示
すように、循環送風経路２３の最低位部に配置されている。
【００４１】
循環ファン２６を回転駆動することにより、循環送風経路２３に空気の流れが発生し、洗濯物を収容した回転ドラム３内の空気は、透孔６を通じて水槽２から循環ファン２６側への循環空気導入管路２８に排気される。循環空気導入管路２８に排気された空気は、循環ファン２６の上流に位置する蒸発器２４によって水分を結露させて除湿され、凝縮器２５との熱交換により加熱されることにより常に乾燥した高温の空気とされる。
【００４２】
この乾燥した高温の空気は、循環ファン２６から水槽２への送風管路２９に送り出されて水槽２内に送風される。水槽２内に送風された高温の乾燥空気は、透孔６を通じて回転ドラム３内に入って衣類などの洗濯物に曝されながら水槽２へと抜け、再度循環空気導入管路２８へと導入され、以上の循環送風経路２３での空気の循環の繰り返しにより乾燥工程が実施される。
【００４３】
この循環送風経路２３を利用した乾燥工程では、循環送風経路２３を循環される空気中に主として衣類などの洗濯物から発生する糸くずなどの異物が混じって循環し、蒸発器２４や凝縮器２５の目詰まり、循環ファン２６の回転部への噛み込み、循環ファン２６の内面への堆積といった乾燥工程を実施するのに支障を来し易いので、循環送風経路２３の途中に、循環空気中の異物を除去するフィルタ３０が設けられている。
【００４４】
以上のように構成されたドラム式洗濯機について、以下その動作、作用を説明する。
【００４５】
本実施の形態におけるドラム式洗濯機の運転コースには、近年需要が伸びている液状の香り付き柔軟剤や洗濯用衣類芳香剤で衣類に香りを付着させる処理を行う香り付け専用コースが搭載されている。図６は、同ドラム式洗濯機の香り付け専用コースの動作を示すフローチャートである。
【００４６】
図６において、使用者が洗剤収容容器８の液体柔軟剤収容部１８に香り付き液体柔軟剤を投入し、回転ドラム３内に処理をしたい衣類を投入して、操作パネル２２の入力設定手段（図示せず）にて香り付け専用コースを選択してスタートすると、ステップＳ１にて、給水弁９が動作して、注水口２０ｂから液体柔軟剤収容部１８に注水される。
【００４７】
液体柔軟剤収容部１８で液体柔軟剤を希釈拡散した柔軟液は、サイフォンの原理により洗剤液供給路１４および給水経路１５を経由して、回転ドラム３内の衣類を直接濡らすことなく、水槽２の内底部に送られ、水槽２内の水位が所定の水位になると（ステップＳ２のＹ）、注水が停止する（ステップＳ３）。
【００４８】
なお、ステップＳ２における所定の水位（水量）は、希釈拡散した柔軟液をサイフォンの原理により送給できるのに十分な水量であり、かつ回転ドラム３の最下部であるＡ部よりも低い水位に設定されており、水槽２内に供給された水によって回転ドラム３内の衣類が濡れることがないように設定してある。
【００４９】
次に、ドラムモータ７により回転ドラム３が所定回転速度で回転駆動される（ステップＳ４）。なお、この所定回転速度は、回転ドラム３内に収容された衣類が、回転ドラム３の回転により回転方向に持ち上げられ、回転に伴う慣性や遠心力よりも自重が勝る高さ位置に移動したとき、回転ドラム３の下方内周面上に落下する挙動を示す回転速度である。この所定回転速度は、回転ドラム３の直径が５００±５０ｍｍ程度であるとき、３５±５ｒ／ｍｉｎ程度の回転速度が良好であることが実験的に実証されており、この回転速度になるようにドラムモータ７を回転制御する。
【００５０】
次に、ステップＳ５において、加熱装置のヒートポンプユニット２７、及び循環ファン２６を駆動し、所定温度にて、所定風量で乾燥動作を開始する。乾燥動作を開始する時の所定温度、所定風量は、通常の乾燥工程の時よりも、低い温度、少ない風量に設定されている。この乾燥動作により、水槽２の内底部に溜まった香り付きの液体柔軟剤から香りがより強く発生し、発生した香り成分が水槽２の透孔６から回転ドラム３内に入って回転ドラム３内に充満し、回転ドラム３内の衣類に浸透して、衣類への香り付けが効果的に行なわれる。
【００５１】
そして、所定時間が経過すると（ステップＳ６のＹ）、乾燥動作を停止する（ステップＳ７）し、回転ドラム３の回転を停止する（ステップＳ８）。
【００５２】
次に、水槽２内にある残った柔軟液を排水し（ステップＳ９）、排水が終了すると（ステップＳ１０のＹ）、香り付け専用コースの運転が終了する。
【００５３】
なお、この香り付け専用コースは、本実施の形態では、乾燥動作時の所定温度、所定風量、所定時間は、一つに設定しているが、乾燥動作時の所定温度、所定風量、所定時間を段階的にそれぞれ設定して、例えば、温度、湿度が異なる季節ごとに使い分けるように複数段（例えば、強、中、弱）のコース設定としても良い。
【００５４】
また、給水弁９を動作させ水槽２内に柔軟剤を送る場合、水の飛び散りにより回転ドラム３内の衣類を濡らさないために、給水弁９の流量制御をして少量をゆっくりと給水するようにしても良いし、短時間のＯＮ／ＯＦＦ制御をして少しずつ給水しても良い。
【００５５】
また、本実施の形態では、加熱手段としてヒートポンプユニットを搭載しているが、ＰＴＣヒータであっても良い。
【００５６】
以上のように、本実施の形態においては、操作パネル２２の入力設定手段にて選択された香り付け専用コースにおいて、給水弁９を動作させて、液体柔軟剤を含む液体を水槽２内に所定水位まで注水した後、ドラムモータ７を駆動させて回転ドラム３を回転させると共に、ヒートポンプユニット２７および循環ファン２６を動作させて、乾燥用空気を回転ドラム３内に供給する構成とすることにより、柔軟剤等の香りを回転ドラム３内に充満させ、衣類に香りを効果的に付着させることができる。
【００５７】
また、香り付け専用コースにおいて、液体柔軟剤を含む液体を回転ドラム３の最下部Ａ部より低い水位まで注水する構成とすることにより、衣類を液体に濡らさないように注水して、柔軟剤等の香りを回転ドラム３内に充満させ、衣類に香りを効果的に付着させることができる。
【００５８】
また、香り付け専用コースにおいて、通常の衣類乾燥工程よりも低い所定温度および低い所定風量にて乾燥用空気を回転ドラム３内に供給する構成とすることにより、柔軟剤等の香りを回転ドラム３内に充満させ、衣類に香りを効果的に付着させることができる。
【産業上の利用可能性】
【００５９】
以上のように、本発明のドラム式洗濯機によれば、香り付き柔軟剤や洗濯用衣類芳香剤入れ、衣類を水に濡らさず、柔軟剤等の香りをドラム内に充満させ衣類に香りを付着させることが可能となるので、衣類の乾燥機能を有した洗濯機等として有用である。
【符号の説明】
【００６０】
１  洗濯機本体
２  水槽
３  回転ドラム
７  ドラムモータ
８  洗剤収容容器
９  給水弁
１１  注水蓋体
１４  洗剤液供給路
１５  給水経路
１８  液体柔軟剤収容部
２２  操作パネル
２３  循環送風経路
２６  循環ファン
２７  ヒートポンプユニット
【図１】
2017055946.tif 000003
【図２】
2017055946.tif 000004
【図３】
2017055946.tif 000005
【図４】
2017055946.tif 000006
【図５】
2017055946.tif 000007
【図６】
2017055946.tif 000008
【図７】
2017055946.tif 000009
【図８】
2017055946.tif 000010